(57)【要約】【課題】運転スイッチをＯＮ押下時に本体運転情報をリモコンに返信する空気調和機で、リモコンは運転ＯＮスイッチを押してから、温度設定の変更等を行う場合リモコンが運転情報の受信処理する間操作を受け付けることが出来ず、ユーザーが故障と勘違いし、迷惑を感じる可能性があるという課題を有していた。【解決手段】リモコンの運転入情報を送信すると、一定の待ち時間遅延させて、本体の持つ運転情報を返信することによって、運転入情報送信後のリモコンの設定変更を可能にする。【選択図】　図２
2004125278.tif 000002
【特許請求の範囲】
【請求項１】
双方向通信によりデータの送受信を行う空気調和機本体とリモコンからなる空気調和機であって、前記リモコンは少なくとも前記空気調和機本体の運転ＯＮ／ＯＦＦを行う運転信号送信手段と、このリモコンが有する情報または前記空気調和機本体側から受信した情報を表示する表示手段とを有し、前記空気調和機本体は運転情報を読み出して記憶する運転情報取得手段と前記リモコンから運転ＯＮ信号を受信した場合には所定時間後に前記運転情報をリモコンに送出する信号送信手段とを有することを特徴とする空気調和機。
【請求項２】
リモコンは空気調和機本体からの送信信号を受信した場合にはその受信完了を前記空気調和機本体に送出する受信完了信号送出手段を有し、前記空気調和機本体は前記リモコンからの受信完了信号を受信するまで周期的に運転情報をリモコンに送出することを特徴とする請求項１記載の空気調和機。
【請求項３】
双方向通信によりデータの送受信を行う空気調和機本体とリモコンからなる空気調和機であって、前記リモコンは少なくとも前記空気調和機本体の運転ＯＮ／ＯＦＦを行う運転信号送信手段と、このリモコンが有する情報または前記空気調和機本体側から受信した情報を表示する表示手段とを有し、
前記空気調和機本体は運転情報を読み出して記憶する運転情報取得手段と前記リモコンから運転ＯＦＦ信号を受信した場合には前記運転情報取得手段の保持する運転情報をリモコンに送出する信号送信手段とを有することを特徴とする空気調和機。
【請求項４】
リモコンは空気調和機本体の運転ＯＦＦ時に受信した運転情報を記憶するリモコン側記憶手段を有し、次ぎに運転ＯＮ信号を送信したときに前記リモコン記憶手段に記憶している運転情報の少なくとも一部を表示手段に表示することを特徴とする請求項３記載の空気調和機。
【発明の詳細な説明】
【０００１】
【発明の属する技術分野】
本発明は、室内の空気を冷房および、暖房する空気調和機において、双方向通信リモコンにより、空気調和機本体を遠隔運転操作するシステムに関するものである。
【０００２】
【従来の技術】
従来のリモコンと空気調和機本体とで双方向通信を行う空気調和機に関する発明は、リモコンの情報要求スイッチを押したときに、本体の持つ運転情報をリモコンに返信するものがある（例えば特許文献１参照）。運転情報としては、例えば、室内外の温度や、運転の異常、フィルタ掃除などのメンテナンス時期などがあり、ユーザーが情報要求スイッチを押すことで、運転情報がリモコンに返信されるようになっている。この場合には、ユーザー運転情報を見たくて待ち受けている状態であるので運転情報が表示されるまで待機する。
また、空気清浄フィルタの掃除時期などのメンテナンス情報については情報要求スイッチを押すまで、ユーザーに知らせることが出来ないので、運転スイッチをＯＮ押下時に本体運転情報をリモコンに返信するものもある。
【０００３】
一例を図面を用いて説明する。図６に従来の制御のフローチャートを示す。まず、リモコンの運転入切スイッチをＯＮ（ステップ１０１）すると、運転開始信号が送信（ステップ１０２）され、空気調和機の運転開始（ステップ１０５）が行われる。すろと、運転積算タイマがｏｎし運転時間が積算開始する。（ステップ１０６）運転時間が規定時間をこえているかどうかを判断し（ステップ１０７）、超えていれば、本体の運転情報をリモコンへ送信する（ステップ１０８）。リモコンは本体運転情報を受信し（ステップ１０３）、表示パネルに運転情報を表示する（ステップ１０４）。
【０００４】
しかしながら、この構成によるとステップ１０８からステップ１０３そしてステップ１０４に至るまでリモコンは受信と受信情報の処理及び表示を行う処理をするため約１秒の時間を必要とする。すると、運転入切スイッチをＯＮした後、温度設定など操作を行おうとしても、前記処理を行っているので、操作を受け付けない。そのため、ユーザーは操作性に不都合を感じる可能性があった。
【０００５】
【特許文献１】
特開２００２−１０６９３８号公報
【０００６】
【発明が解決しようとする課題】
しかしながら、上記従来の構成では、運転スイッチＯＮ押下時に運転情報を返信するため、ユーザーは運転ＯＮスイッチを押してから、すぐ、次の操作、例えば温度設定の変更を行う場合はリモコンが運転情報の受信処理する間、操作を受け付けることが出来ない。そのため、ユーザーが故障と勘違いし、迷惑を感じる可能性があるという課題を有していた。
【０００７】
【課題を解決するための手段】
上記課題を解決するために本発明は、双方向通信によりデータの送受信を行う空気調和機本体とリモコンからなる空気調和機であって、前記リモコンは少なくとも前記空気調和機本体の運転ＯＮ／ＯＦＦを行う運転信号送信手段と、このリモコンが有する情報または前記空気調和機本体側から受信した情報を表示する表示手段とを有し、前記空気調和機本体は運転情報を読み出して記憶する運転情報取得手段と前記リモコンから運転ＯＮ信号を受信した場合には所定時間後に前記運転情報をリモコンに送出するようにしたことを特徴とする。
【０００８】
これにより、本体制御部が保持している運転情報をリモコンへ送信する際の、リモコンの待ち時間をユーザーに感じさせること無しに、確実にユーザーに知らせることが出来る。
【０００９】
【発明の実施の形態】
以下本発明の実施の形態について説明する。
【００１０】
（実施の形態１）
図１は本実施形態の構成図であり、空気調和機本体１は、空気調和機の運転時間を積算し、ある規定時間をこえると空気調和機の運転情報を取得し保持する本体制御部２と、空気調和機本体１からリモコン５へ信号を送信する本体送信部３と、リモコン５からの信号を受信する本体受信部４とを備えており、一方、リモコン５は、空気調和機の運転開始スイッチのような運転に必要な項目を設定する操作部６と、空気調和機本体から送信された信号を受信するリモコン受信部９と、空気調和機本体に信号を送信するリモコン送信部１０と、その設定内容を表示する表示パネル１１を具備している。
【００１１】
図２に制御フローチャートを示す。まずリモコン５の運転入切スイッチ７をＯＮする（ステップ２０１）と、運転開始信号が送信され（ステップ２０２）、空気調和機本体１が運転を開始する（ステップ２０５）。すると運転積算タイマがＯＮし（ステップ２０６）、次に運転時間が規定時間を超えているかどうかを判断し（ステップ２０７）、超えている場合は送信待ち時間タイマを一旦リセットした後、タイマーを作動（ＯＮ）させる（ステップ２０８）。
【００１２】
次ぎに、待ち時間（タイマーによる計時時間）が一定の時間を超えたかどうかを判断（ステップ２０９）し、所定値を超えれば本体運転情報をリモコン５へ送信（ステップ２１０）する。
【００１３】
リモコン５は送信された本体運転情報を受信し（ステップ２０３）、リモコンの表示パネル１１に運転情報を表示する（ステップ２０４）。
【００１４】
この実施形態によれば、空気調和機の運転時間を積算し、ある規定時間をこえるとユーザーに通知させる必要のある空気清浄フィルタの掃除時期などのメンテナンス情報を、運転開始操作を行うと一定時間後に受信することで、温度設定などのリモコンの操作部で待ち時間なしに設定変更することを可能にし、しばらくして表示パネルに表示することで確実にユーザーに知らせるができる。
【００１５】
（実施の形態２）
図３に本実施形態のフローチャートを示す。まずリモコン５の運転入切スイッチ７をＯＮする（ステップ３０１）と、運転開始信号が送信され（ステップ３０２）、空気調和機本体１が運転を開始する（ステップ３０６）。すると運転積算タイマがＯＮし（ステップ３０７）、次に運転積算時間が所定時間を超えているかどうかを判断し（ステップ３０８）、超えている場合は送信待ち時間タイマをリセットした後すぐＯＮする（ステップ３０９）。次ぎに、送信待ち時間が所定時間を超えたかどうかを判断（ステップ２１０）し、超えれば本体運転情報をリモコン５へ送信（ステップ２１１）する。
【００１６】
リモコンは送信された本体運転情報を受信（ステップ３０３）し、表示パネル１１に運転情報を表示（ステップ２０４）し、その後受信完了信号を空気調和機本体１へ送信する（ステップ３０５）。空気調和機本体１は、受信完了信号を受ける（ステップ３１２）と、本体情報の送信をやめ、運転を継続する（ステップ３１３）。
【００１７】
この実施形態によれば、空気調和機の運転時間を積算し、ある規定時間をこえるとユーザーに通知させる必要のある空気清浄フィルタの掃除時期などのメンテナンス情報を、運転開始操作を行うと一定時間毎に周期的に本体送信部からリモコン受信部に送信することで、温度設定などのリモコンの操作部で待ち時間なしに設定変更することを可能にし、ユーザーが運転開始スイッチを押して、すぐ手放すなど、リモコンがその情報を受信する場所にない場合でも、次に、ユーザーがリモコンを手にする際に、受信し表示パネルに表示することで確実にユーザーに知らせるができる。
【００１８】
（実施の形態３）
図４に本実施形態のフローチャートを示す。まずリモコン５の運転入切スイッチ７をＯＮ（ステップ４０１）すると、運転開始信号が送信され（ステップ４０２）、空気調和機本体１が運転開始し（ステップ４０７）、運転積算タイマをＯＮ（ステップ４０８）した後、運転を継続する（ステップ４０９）。次にリモコン５の運転入切スイッチ７をＯＮ（ステップ４０３）すると、今度は、運転終了信号が送信され（ステップ４０４）、空気調和機本体１が運転終了（ステップ４１０）する。すると、運転積算タイマがＯＦＦし、運転積算時間が所定時間を超えているかどうかを判断し（ステップ４１２）超えていれば本体運転情報をリモコン５へ送信（ステップ４１３）する。リモコン５は送信された本体運転情報を受信（ステップ４０５）し、表示パネル１１に運転情報を表示（ステップ４０６）する。
【００１９】
この実施形態によれば、運転開始時に温度設定などのリモコンの操作部で待ち時間なしに設定変更することを可能にし、ユーザーがリモコンを手にして、運転終了操作をした後に運転情報を受信するため、リモコンの受信部の位置が受信できる位置にあり、かつ、受信処理に数秒時間が掛かっても、運転終了時なので、設定変更をユーザーが行うことはまれであり、待機時間を故障と判断される可能性は大幅に低下する。そして内容を表示パネルに表示することで確実にユーザーに知らせるができる。
【００２０】
（実施の形態４）
図５に本実施形態のフローチャートを示す。まずリモコン５の運転入切スイッチ７をＯＮ（ステップ５０１）すると、運転開始信号が送信（ステップ５０２）され、空気調和機本体１が運転開始（ステップ５１０）し、運転積算タイマーをＯＮ（ステップ５１１）した後、運転を継続する（ステップ５１２）。次にリモコン５の運転入切スイッチ７をＯＮ（ステップ５０３）すると、今度は、運転終了信号が送信され（ステップ５０４）、空気調和機本体１が運転終了（ステップ５５１３）する。さらに、運転積算タイマをＯＦＦ（ステップ５１４）後、運転時間が所定時間を超えているかどうかを判断し（ステップ５１５）、超えている場合は、本体運転情報をリモコンへ送信（ステップ５１６）する。
【００２１】
リモコン５は送信された本体運転情報を受信（ステップ５０５）し、リモコン内部に本体運転情報を記憶する（ステップ５０６）。次回にユーザーが運転を再開しようとして、リモコン５の運転入切スイッチ７をＯＮ（ステップ５０７）すると、運転開始信号が送信され（ステップ５０８）、空気調和機本体１が運転開始（ステップ６１８）し、運転を継続する（ステップ５１９）。一方リモコン５では、表示パネル１１に運転情報を表示（ステップ５０９）する。
【００２２】
この実施形態によれば、運転開始時に温度設定などのリモコンの操作部で待ち時間なしに設定変更することを可能にし、ユーザーがリモコンを手にして、運転終了操作をした後に運転情報を受信するため、リモコンの受信部の位置が受信できる位置にあり、かつ、受信処理に数秒時間が掛かっても、運転終了時なので、設定変更をユーザーが行うことはまれであり、待機していると感じることなはい。
【００２３】
さらに、本体制御部が保持している運転情報を、リモコンが運転情報を記憶しているため、運転開始時に運転開始スイッチを操作し、次に設定変更の操作スイッチを操作しその操作が終了したことをリモコンが判断し表示パネルに運転情報を表示することにより、運転情報の受信処理時間を必要とせず、待機時間を故障と判断することも無くせる。そして、ユーザーがリモコンを手に取っている状態で内容を表示パネルに表示することで確実にユーザーに知らせることができる。
【００２４】
【発明の効果】
上記より明らかなように、本発明は、空気調和機の運転時間を積算し、ある規定時間をこえるとユーザーに通知させる必要のある空気清浄フィルタの掃除時期などのメンテナンス情報を、運転開始操作を行うと一定時間後に受信することで、温度設定などのリモコンの操作部で待ち時間なしに設定変更することを可能にし、運転情報をユーザーの手元にあるリモコンの表示パネルに表示することで確実にユーザーに知らせるができるという効果を奏する。
【００２５】
さらにはユーザーが運転開始スイッチを押して、すぐ手放すなど、リモコンがその情報を受信する場所にない場合でも、次に、ユーザーがリモコンを手にする際に、受信し表示パネルに表示することで確実にユーザーに知らせるができるという効果を奏する。
【００２６】
また本発明は、運転開始時に温度設定などのリモコンの操作部で待ち時間なしに設定変更することを可能にし、ユーザーがリモコンを手にして、運転終了操作をした後に運転情報を受信するため、リモコンの受信部の位置が受信できる位置にあり、かつ、受信処理に数秒時間が掛かっても、運転終了時なので、設定変更をユーザーが行うことはまれであり、待機時間を故障と判断される可能性は大幅に低下する。そして内容を表示パネルに表示することで確実にユーザーに知らせるができるという効果を奏する。
【００２７】
さらには本体制御部が保持している運転情報を、リモコンが運転情報を記憶しているため、運転開始時に運転開始スイッチを操作し、次に設定変更の操作スイッチを操作しその操作が終了したことをリモコンが判断し表示パネルに運転情報を表示することにより、運転情報の受信処理時間を必要とせず、待機時間を故障と判断することも無くせる。そして、ユーザーがリモコンを手に取っている状態で内容を表示パネルに表示することで確実にユーザーに知らせることができるという効果を奏する。
【図面の簡単な説明】
【図１】本発明の空気調和機の構成図
【図２】本発明の第１の実施形態の制御フローチャート
【図３】本発明の第２の実施形態の制御フローチャート
【図４】本発明の第３の実施形態の制御フローチャート
【図５】本発明の第４の実施形態の制御フローチャート
【図６】従来の空気調和機の制御フローチャート
【符号の説明】
１　　空気調和機本体
２　　本体制御部
３　　本体送信部
４　　本体受信部
５　リモコン
７　運転開始／停止スイッチ
８　情報要求スイッチ
１１　表示パネル
【図１】
2004125278.tif 000003
【図２】
2004125278.tif 000004
【図３】
2004125278.tif 000005
【図４】
2004125278.tif 000006
【図５】
2004125278.tif 000007
【図６】
2004125278.tif 000008